(57)【要約】【課題】  電源オフ後にプロジェクタ装置を移動させた場合でも、設定が容易で使い勝手のよいプロジェクタ装置を提供する。【解決手段】  プロジェクタ装置に移動検知素子を備え、この移動検知素子はバッテリーによりプロジェクタ装置の電源オフ時にも作動させる。そして、電源オフ時にはプロジェクタ装置の台形歪補正情報やフォーカス、ズーム情報などの投射条件を記憶する。ここで、プロジェクタ装置の電源オフの間に移動したことを検知した場合には、次の電源オン時には電源オフ時に記録した情報を設定せず、工場出荷時の初期値を設定する。【選択図】      図２
2005156747.tif 000002
【特許請求の範囲】
【請求項１】
映像をスクリーンに投射して再現するプロジェクタ装置であって、電源ＯＦＦ時前の投射情報を記録する記憶手段と、前記プロジェクタ装置の移動の有無を検知する移動検知素子とを備えることを特徴とするプロジェクタ装置。
【請求項２】
電源ＯＦＦ時に前記移動検知素子を作動させるためのバックアップ電源を備えることを特徴とする請求項１に記載のプロジェクタ装置。
【請求項３】
前記移動検知素子が、電源ＯＦＦ時の間にプロジェクタ装置の移動を検知した場合は、次回の電源ＯＮ時には前記記憶手段に記録された前記投射情報を用いないようしたことを特徴とする請求項１または２に記載のプロジェクタ装置。
【請求項４】
前記移動検知素子が、電源ＯＦＦ時の間にプロジェクタ装置の移動を検知したときは、次の電源ＯＮ時には前記投射情報として初期設定値を用いるようしたことを特徴とする請求項１または２に記載のプロジェクタ装置。
【請求項５】
請求項１に記載のプロジェクタ装置において、前記移動検知素子から得た前記プロジェクタ装置の位置情報を記憶する位置記憶手段を備え、電源ＯＦＦ時に記録した前記位置情報と、次の電源ＯＮ時の前記位置情報とを比較し、これが異なるときは、前記電源ＯＦＦ時前の投射情報を用いないようにしたことを特徴とするプロジェクタ装置。
【請求項６】
前記移動検知素子は、加速度センサーよりなることを特徴とする請求項１から５のいずれか１項記載のプロジェクタ装置。
【請求項７】
以下の処理をプロジェクタ装置に行わせることを特徴とするプログラム。
（１）プロジェクタ装置の電源をＯＦＦにすると、今まで使用していた投射情報を記憶手段に書き込むステップ
（２）プロジェクタ装置の電源がＯＦＦとなっている間、移動検知素子がプロジェクタ装置の移動の有無を検出し続けるステップ
（３）プロジェクタ装置の移動が検出されないまま電源がＯＮになると、前記記憶手段に書き込まれた電源ＯＦＦ以前の前記投射情報を設定するステップ
（４）プロジェクタ装置の移動が検出された後に電源がＯＮになると、前記投射情報の設定を工場出荷時の初期値に戻すステップ
【発明の詳細な説明】
【技術分野】
【０００１】
本発明はプロジェクタ装置に関し、特に、電源オフ時に筐体の移動を検知するプロジェクタ装置およびこのプログラムに関する。
【背景技術】
【０００２】
近年、この種のプロジェクタ装置では、電源オフ時にプロジェクタ装置の投射条件（例えば、投射時における台形歪補正やフォーカス、ズーム情報など）をフラッシュメモリなどに記録し、電源オン時には記録された情報に従って電源オフ以前の設定状態に戻す機能（ラストメモリー機能と呼ぶ）を備えるプロジェクタ装置は多々存在する。すなわち、これらはプロジェクタ装置の電源をオンにしたときに投射条件を呼び戻すことで、電源オフ以前と同じ条件でスクリーンに投射するというものである。
【０００３】
ここで、図３を参照して従来のプロジェクタ装置の一例について説明すると、プロジェクタ装置１０において、外部からプロジェクタ装置１０本体に対して加えられた振動の加速度を、各脚部１１に対応する加速度センサー１２で検出し、演算部１３においてこの検出を打ち消すための各脚部の伸縮量を演算して、この演算結果の電気信号を各脚部のアクチュエータ１４にそれぞれ出力する。アクチュエータ１４は、入力された電気信号に基づいて、それぞれ所定分だけ脚部を上下方向に伸縮させている。これにより、プロジェクタ装置１０本体の姿勢が維持されるから、振動が加えられても投射画像を常に一定の位置に維持でき、投射画像を正しく表示できるというものがある（例えば、特開２００３−１４９７２９号公報を参照。）。
【０００４】
【特許文献１】特開２００３−１４９７２９号公報
【発明の開示】
【発明が解決しようとする課題】
【０００５】
しかしながら、これら従来のプロジェクタ装置では、電源オフ時にプロジェクタ装置に何が起こったかまでは監視していない。このため、例えば、ある会議においてプロジェクタ装置を用いた場合に、会議が終わってプロジェクタ装置の電源を切り、その後、別の部屋でこのプロジェクタ装置を使用する場合には、電源オフ時に記録された投射情報が呼び出されるため、投射条件の異なる別の部屋では却って投射映像が見難くなるという場合が多々あった。
【０００６】
本発明の目的は、かかる課題に鑑みてなされたもので、電源オフ後にプロジェクタ装置を別の場所に移動させた場合でも、使い勝手のよいプロジェクタ装置を提供することにある。
【課題を解決するための手段】
【０００７】
本発明は、映像をスクリーンに投射して再現するプロジェクタ装置であって、電源ＯＦＦ時前の投射情報を記録する記憶手段と、前記プロジェクタ装置の移動の有無を検知する移動検知素子とを備えることを特徴とする。
【０００８】
前記移動検知素子は、加速度センサーよりなり、かつ電源ＯＦＦ時に作動させるためのバックアップ電源を備えることを特徴とする。
【０００９】
前記移動検知素子が、電源ＯＦＦ時の間にプロジェクタ装置の移動を検知した場合は、次回の電源ＯＮ時には前記記憶手段に記録された前記投射情報を用いないようしたことを特徴とする。
【００１０】
前記移動検知素子が、電源ＯＦＦ時の間にプロジェクタ装置の移動を検知したときは、次の電源ＯＮ時には前記投射情報として初期設定値を用いるようしたことを特徴とする。
【００１１】
また、前記移動検知素子から得た前記プロジェクタ装置の位置情報を記憶する位置記憶手段を備え、電源ＯＦＦ時に記録した前記位置情報と、次の電源ＯＮ時の前記位置情報とを比較し、これが異なるときは、前記電源ＯＦＦ時前の投射情報を用いないようにしたことを特徴とする。
【００１２】
以下の処理をプロジェクタ装置に行わせるプログラムを含むことを特徴とする。
（１）プロジェクタ装置の電源をＯＦＦにすると、今まで使用していた投射情報を記憶手段に書き込むステップ
（２）プロジェクタ装置の電源がＯＦＦとなっている間、移動検知素子がプロジェクタ装置の移動の有無を検出し続けるステップ
（３）プロジェクタ装置の移動が検出されないまま電源がＯＮになると、前記記憶手段に書き込まれた電源ＯＦＦ以前の前記投射情報を設定するステップ
（４）プロジェクタ装置の移動が検出された後に電源がＯＮになると、前記投射情報の設定を工場出荷時の初期値に戻すステップ
【発明の効果】
【００１３】
本発明のプロジェクタ装置は、電源ＯＦＦ時でも内蔵されたバッテリーで常時作動が可能な移動検知素子を備えているため、プロジェクタ装置の電源ＯＦＦ後であっても、プロジェクタ装置の移動の有無を検知し、もしもプロジェクタ装置を移動させた場合、次の電源ＯＮ時には、プロジェクタ装置を以前の投射条件を設定するのではなく初期設定に戻すようにした。これにより、新規の設定が結果として容易になり、使い勝手がよくなるという効果がある。
【発明を実施するための最良の形態】
【００１４】
次に、本発明について図面を参照して詳細に説明する。図１は、本発明の実施の形態を示す図である。図１を参照すると、まず、本実施例では、プロジェクタ装置１には、スクリーンに画像を投射する投射レンズ２と、プロジェクタ装置１の移動を検知する移動検知素子３と、プロジェクタ装置の投射条件（例えば、投射の台形歪補正やズーム、フォーカスなど）の情報が書き込まれる記憶部、例えば、フラッシュメモリ（図示せず）とを備えている。なお、記憶部への情報の記録および呼び出しの技術については公知であるので、ここでは言及しない。
【００１５】
本実施の形態のプロジェクタ装置では、移動検知素子３として、加速度センサー（Ｇセンサー）が用いられているが、この移動検知素子３は電源ＯＦＦ時におけるプロジェクタ装置の移動の有無を検出するため、常時作動させておく必要がある。このため、プロジェクタ装置にはバックアップ電源（例えば、充電可能な電池やコンデンサなど）を内蔵しており、これによって移動検知素子３は常時作動状態となる。
【００１６】
続いて、本実施の形態の動作について説明する。図２は、本実施の形態の動作の流れを説明するフローチャートである。
【００１７】
図２を参照すると、まず、プロジェクタ装置の電源をＯＦＦにすると、この装置に内蔵されているフラッシュメモリには、今まで使っていた投射条件などの設定情報が書き込まれる（ステップ１）。なお、このときに書き込まれる情報の種類についてはここでは言及しない。その後電源がＯＦＦとなる（ステップ２）。電源がＯＦＦとなっている間、移動検知素子がプロジェクタ装置の移動の有無を検出し続ける（ステップ３）。
【００１８】
ここで、プロジェクタ装置の移動がないまま電源がＯＮになると（ステップ４）、先にフラッシュメモリに書き込まれた投射情報を読み出し、それに従って設定し電源ＯＦＦ以前の投射状態を再現する（ステップ５）。
【００１９】
一方、プロジェクタ装置の移動が検出された後に電源がＯＮになると（ステップ６）、プロジェクタ装置の投射情報の設定は、工場出荷時の初期値に戻される（ステップ７）。つまり、移動後に電源ＯＮの場合には、電源ＯＦＦ時に記録された内容を設定せずに初期値を設定する。
【００２０】
次に、本発明の別の実施の形態について説明する。これは、移動検知素子から得た位置情報を記憶する位置記憶手段を備えており、この位置記憶手段にプロジェクタ装置の電源ＯＦＦ時の位置情報を記録しておく。そして、次の電源ＯＮ時には、この電源ＯＮ時の位置情報と記録しておいた電源ＯＦＦ時の位置情報とを比較する。
【００２１】
ここで比較の結果、位置情報が異なるとき、すなわち、電源ＯＦＦ後にプロジェクタ装置の移動があったとき、次に電源がＯＮになると、プロジェクタ装置は先に記録されていた投射情報を設定せずに初期値を設定するというものである。これにより、先に説明した実施形態と同様の効果を得ることができる。
【産業上の利用可能性】
【００２２】
電源ＯＦＦ後における装置の移動の有無を検知するので、移動可能な装置や機器等の設定に適用可能である。
【図面の簡単な説明】
【００２３】
【図１】本発明の一実施の形態を示す図である。
【図２】実施例の動作の流れを示すフローチャートである。
【図３】従来の一例を示す図である。
【符号の説明】
【００２４】
１，１０    プロジェクタ装置
２    投射レンズ
３    移動検知素子
１１    脚部
１２    加速度センサー
１３    演算部
１４    アクチュエータ
【図１】
2005156747.tif 000003
【図２】
2005156747.tif 000004
【図３】
2005156747.tif 000005